(57)【要約】【課題】接着剤を用いずに取り付け可能な人工まつげを提供すること【解決手段】まつげ５０の長さを延長する人工まつげ１００であって、人工まつげ本体部１０と、人工まつげ本体部１０とまつげ５０とを連結する環状部材２０とを備え、環状部材２０は、収縮性材料から構成されている、人工まつげ１００である。【選択図】図２
2012072538.tif 000002
【特許請求の範囲】
【請求項１】
まつげの長さを延長する人工まつげであって、
人工まつげ本体部と、
前記人工まつげ本体部とまつげとを連結する環状部材と
を備え、
前記環状部材は、収縮性材料から構成されている、人工まつげ。
【請求項２】
前記人工まつげ本体部は、エクステンション用まつげである、請求項１に記載の人工まつげ。
【請求項３】
前記環状部材は、熱によって収縮する熱収縮性樹脂から構成されている、請求項１または２に記載の人工まつげ。
【請求項４】
前記環状部材は、ゴム材料から構成されている、請求項１または２に記載の人工まつげ。
【請求項５】
前記人工まつげ本体部と、前記環状部材とは一体となって構成されている、請求項１から４の何れか一つに記載の人工まつげ。
【請求項６】
前記環状部材は、１本の前記人工まつげに複数個設けられている、請求項１から５の何れか一つに記載の人工まつげ。
【請求項７】
前記人工まつげ本体部には、抗菌材料が含有されている、請求項１から６の何れか一つに記載の人工まつげ。
【請求項８】
前記環状部材には、抗菌材料が含有されている、請求項１から７の何れか１つに記載の人工まつげ。
【請求項９】
前記人工まつげ本体部は、着色された樹脂から構成されている、請求項１から８の何れか一つに記載の人工まつげ。
【請求項１０】
前記人工まつげ本体部は、天然素材の材料から構成されている、請求項１から６の何れか一つに記載の人工まつげ。
【請求項１１】
人工まつげの取り付け方法であって、
人工まつげ本体部と、収縮性材料から構成された環状部材とを用意する工程と、
前記人工まつげ本体部を、まつげに近接させる工程と、
前記環状部材の開口部の中に、前記人工まつげ本体部と前記まつげとの重なり部位を配置する工程と、
前記環状部材を収縮させることによって、前記人工まつげ本体部と前記まつげを固定する工程と
を含む、取り付け方法。
【請求項１２】
前記環状部材は、熱によって収縮する熱収縮性樹脂フィルムから構成されており、
前記人工まつげ本体部と前記まつげを固定する工程において、前記環状部材は加熱器具の熱によって収縮し、それによって前記人工まつげ本体部と前記まつげとを連結する、請求項１１に記載の取り付け方法。
【請求項１３】
前記人工まつげ本体部と前記まつげを固定する工程において、前記環状部材は超音波のエネルギーによって収縮し、それによって前記人工まつげ本体部と前記まつげとを連結する、請求項１１に記載の取り付け方法。
【請求項１４】
前記重なり部位を配置する工程において、液体を用いて、前記人工まつげ本体部を、前記まつげおよび前記環状部材の少なくとも一方と仮止めすることを実行する、請求項１１から１３の何れか１つに記載の取り付け方法。
【請求項１５】
前記人工まつげ本体部および前記環状部材の少なくとも一方には、抗菌材料が含有されている、請求項１２から１４の何れか１つに記載の人工まつげ。
【請求項１６】
前記人工まつげ本体部は、エクステンション用まつげである、請求項１１から１５の何れか一つ記載の取り付け方法。
【請求項１７】
前記環状部材は、前記人工まつげ本体部と一体の構成となっている、請求項１０から１６の何れか一つに記載の取り付け方法。
【請求項１８】
前記人工まつげ本体部と前記まつげを固定する工程において、接着剤を使用せずに前記人工まつげ本体部と前記まつげとを連結する、請求項１１から１７の何れか一つに記載の取り付け方法。
【発明の詳細な説明】
【技術分野】
【０００１】
本発明は、人工まつげに関し、特に、接着剤を用いずに取り付け可能な人工まつげに関する。
【背景技術】
【０００２】
まつげに長さやボリュームを与え、より大きく、美しく、魅力的な目元を演出するためのアイテムの一つとして、つけまつげがある。つけまつげは、複数本の人工まつげを一纏めにして、その末端に接着部を設け、その接着部を使用者のまぶたに付けることによって、使用者のまつげに長さやボリュームを与えることができる（例えば、特許文献１、２など）。つけまつげは、使用者の皮膚に接着するため、装着感が悪く、場合によっては皮膚がかぶれるおそれがある。
【０００３】
これに対して、近年では、一本のまつげとほぼ同等の形状で長さや太さにボリュームを持たせた所謂エクステンションと呼ばれる人工まつげが提案されている（例えば、特許文献３など）。このエクステンション（人工まつげ）は、まぶたには接着せずに、接着剤を用いてまつげに直接接着するため、装着感が良く、皮膚がかぶれるおそれが少ない。また、エクステンションは、まつげ一本に対して一本ずつ接着するので、つけまつげに比べて自然な感じでまつげに長さやボリュームを与えることができる。
【先行技術文献】
【特許文献】
【０００４】
【特許文献１】特開２００８−２３１６３２号公報
【特許文献２】特開２００５−１４６５００号公報
【特許文献３】特開２０１０−２４５７９号公報
【発明の概要】
【発明が解決しようとする課題】
【０００５】
上述したように、エクステンションは、接着剤を使ってまつげに接着するので、皮膚（まぶた）に接着剤成分が接触するつけまつげと比較すると、皮膚がかぶれるおそれを低減することができる。しかしながら、接着剤に対するアレルギー反応により皮膚がかぶれやすい使用者の場合、皮膚（まぶた）でなくまつげに接着剤を付着させるといっても、その接着剤の揮発物質又は固まった接着剤によって皮膚がかぶれてしまう可能性がある。また、皮膚がかぶれ難い医療用の接着剤も存在するが、そのような接着剤は必ずしもかぶれないということではなくかぶれにくいというだけのことであり、まつげエクステンション業界とつけまつげ業界では一般的でない。さらには、そのような医療用の接着剤は、まつげエクステンション業界とつけまつげ業界における典型的な接着剤のものと比較して約１００倍も原材料費の値段がするので、コストの面で問題が生じることがある。
【０００６】
さらには、接着剤を使用することによって、皮膚のかぶれは生じなくても、接着剤から発する臭いが、使用者によっては不快感を与えたり、くしゃみや鼻水の原因となることもある。それは装着される側と装着を行う技術者の両方に与える問題である。しかしながら、エクステンションは、接着剤がなければまつげに取り付けることはできず、そのような不快感は甘受せざるを得ない。また、接着面に油分や汚れが付着していると、エクステンションを接着させても、すぐ外れてしまうという問題もあった。
【０００７】
本願発明者は、そのようなエクステンションの問題点に気づき、鋭意検討しながら、従来とは異なる視点で、当該問題点の解決を試みた。本発明はかかる点に鑑みてなされたものであり、その主な目的は、接着剤を用いずに取り付け可能な人工まつげを提供することにある。
【課題を解決するための手段】
【０００８】
本発明に係る人工まつげは、まつげの長さを延長する人工まつげであり、人工まつげ本体部と、前記人工まつげ本体部とまつげとを連結する環状部材とを備え、前記環状部材は、収縮性材料から構成されている。
【０００９】
ある好適な実施形態において、前記人工まつげ本体部は、エクステンション用まつげである。
【００１０】
ある好適な実施形態において、前記環状部材は、熱によって収縮する熱収縮性樹脂から構成されている。
【００１１】
ある好適な実施形態において、前記環状部材は、ゴム材料から構成されている。
【００１２】
ある好適な実施形態において、前記人工まつげ本体部と、前記環状部材とは一体となって構成されている。
【００１３】
ある好適な実施形態において、前記環状部材は、１本の前記人工まつげに複数個設けられている。
【００１４】
ある好適な実施形態において、前記人工まつげ本体部には、抗菌材料が含有されている。
【００１５】
ある好適な実施形態において、前記環状部材には、抗菌材料が含有されている。
【００１６】
ある好適な実施形態において、前記人工まつげ本体部は、着色された樹脂から構成されている。
【００１７】
ある好適な実施形態において、前記人工まつげ本体部は、天然素材の材料から構成されている。
【００１８】
ある好適な実施形態において、前記人工まつげ本体部には、銀イオンが含有されている。
【００１９】
ある好適な実施形態において、前記人工まつげ本体部は、樹脂から構成されており、前記抗菌材料は、銀イオンであり、前記銀イオンは、前記樹脂に分散されている。
【００２０】
本発明に係る人工まつげの取り付け方法は、人工まつげ本体部と、収縮性材料から構成された環状部材とを用意する工程と、前記人工まつげ本体部を、まつげに近接させる工程と、前記環状部材の開口部の中に、前記人工まつげ本体部と前記まつげとの重なり部位を配置する工程と、前記環状部材を収縮させることによって、前記人工まつげ本体部と前記まつげを固定する工程とを含む。
【００２１】
ある好適な実施形態において、前記環状部材は、熱によって収縮する熱収縮性樹脂フィルムから構成されており、前記人工まつげ本体部と前記まつげを固定する工程において、前記環状部材は加熱器具の熱によって収縮し、それによって前記人工まつげ本体部と前記まつげとを連結する。
【００２２】
ある好適な実施形態において、前記人工まつげ本体部と前記まつげを固定する工程において、前記環状部材は超音波のエネルギーによって収縮し、それによって前記人工まつげ本体部と前記まつげとを連結する。
【００２３】
ある好適な実施形態において、前記重なり部位を配置する工程において、液体を用いて、前記人工まつげ本体部を、前記まつげおよび前記環状部材の少なくとも一方と仮止めすることを実行する。
【００２４】
前記人工まつげ本体部および前記環状部材の少なくとも一方には、抗菌材料が含有されている。
【００２５】
ある好適な実施形態において、前記人工まつげ本体部は、エクステンション用まつげである。
【００２６】
ある好適な実施形態において、前記環状部材は、前記人工まつげ本体部と一体の構成となっている。
【００２７】
ある好適な実施形態において、前記人工まつげ本体部と前記まつげを固定する工程において、接着剤を使用せずに前記人工まつげ本体部と前記まつげとを連結する。
【発明の効果】
【００２８】
本発明の人工まつげによれば、人工まつげ本体部とまつげとを、収縮性材料から構成された環状部材によって連結するので、接着剤を用いずに、まつげに人工まつげ本体部（例えば、エクステンション用人工まつげ）を取り付けることができる。
【図面の簡単な説明】
【００２９】
【図１】本発明の実施形態に係る人工まつげ１００を取り付けた様子を示す図である。
【図２】本発明の実施形態に係る人工まつげ１００の構成を示す図である。
【図３】（ａ）から（ｃ）は、人工まつげ１００の取り付け方法を説明する工程図である。
【図４】１本のまつげ５０に２つの環状部材２０を設けた例を示す図である。
【図５】人工まつげ本体部１０と一体の構成となった環状部材２４を示す図である。
【図６】人工まつげ本体部１０と一体の構成となった環状部材２０による固定の様子を示す図である。
【図７】（ａ）及び（ｂ）は、つけまつげタイプの人工まつげ本体部１５をまつげ５０に取り付ける方法を説明する図である。
【図８】人工まつげ本体部１５の両端部における環状部材２０の固定の様子を模式的に示す拡大図である。
【図９】（ａ）及び（ｂ）は、ショートタイプのつけまつげ１７をまつげ５０に取り付ける方法を説明する図である。
【図１０】つけまつげ１７の根本部分を環状部材２０でまつげ５０に固定する様子を示す図である。
【図１１】つけまつげ１７の人工まつげ部１３Ｌを環状部材２０でまつげ５０に固定する様子を示す図である。
【図１２】ゴム材料からなる環状部材２６を用いて人工まつげ本体部１０をまつげ５０に固定する様子を示す図である。
【図１３】（ａ）は、人工まつげ１５０の構成を示す図であり、（ｂ）は、人工まつげ１５０をまつげ５０に取り付けた状態を示す図である。
【発明を実施するための形態】
【００３０】
本願発明者は、接着剤を使ってまつげに接着するというエクステンションの技術常識に対して、異なる視点で思考を行った。エクステンションの接着では、医療用の低刺激の接着剤を用いるという選択肢もあるが、そうではなく、接着剤を用いずにエクステンションを取り付ける手法を鋭意検討し、本発明に至った。
【００３１】
以下、図面を参照しながら、本発明の実施の形態を説明する。以下の図面においては、説明の簡潔化のため、実質的に同一の機能を有する構成要素を同一の参照符号で示す。なお、本発明は以下の実施形態に限定されない。
【００３２】
図１および図２を参照しながら、本発明の実施形態に係る人工まつげ１００について説明する。図１は、本実施形態の人工まつげ１００を、使用者１０００のまつげ５０に取り付けた様子を示す図である。また、図２は、本実施形態の人工まつげ１００の構成を示す図である。
【００３３】
本実施形態の人工まつげ１００は、使用者１０００のまつげ５０の長さを延長する人工まつげであり、人工まつげ本体部１０と、人工まつげ本体部１０とまつげ５０とを連結する環状部材２０とを備えている。本実施形態の人工まつげ本体部１０は、エクステンション用人工まつげである。また、本実施形態の環状部材２０は、収縮性材料（例えば、熱収縮性樹脂材料）から構成されており、収縮した環状部材２０によって、人工まつげ本体部１０は、皮膚５５（ここでは、まぶたの一部）から延びたまつげ５０に取り付けられている。
【００３４】
次に、図３（ａ）から（ｃ）に示すように、本実施形態の人工まつげ１００の取り付け方法について説明する。ここでは、便宜上、収縮前の環状部材（リング部材）を「２２」と表記し、収縮後の環状部材（締結部材、または、固定部材）を「２０」と表記する。
【００３５】
まず、図３（ａ）に示すように、まつげ５０に近接するように、本実施形態の人工まつげ１００の本体となる人工まつげ本体部１０を配置する。人工まつげ本体部１０は、例えばピンセットで挟まれて、まつげ５０の近くに配置される。
【００３６】
本実施形態の人工まつげ本体部１０は、例えば、樹脂（典型的には、ポリブチレンテレフタレート、ポリエステル、アクリル、塩化ビニール、ナイロン）から構成されており、人工まつげ本体部１０の長さは、例えば５ｍｍ〜２０ｍｍであり、直径（または厚さ）は例えば０．０７ｍｍ〜０．３ｍｍである。人工まつげ本体部１０は、黒色の他、着色された材料から構成されていてもよい。人工まつげ本体部１０は、例えば、ダークブラウン、パープル、ブルー、ピンク、シルバー、グリーン、ライトオレンジ、ライトゴールド、レッド、ワインレッド、ホワイト、イエローなどの色にすることができ、それによって、カラーエクステンションを実現することが可能である。また、人工まつげ本体部１０と称しているが、人工的にまつげの長さを延長するという意味であるので、構成材料は人工材料（樹脂など）に限らず、天然素材の材料（例えば、動物由来の材料（典型的には、人毛、獣毛（ミンクなどの毛）、または、シルク）、植物由来の材料（典型的には綿））を使用することも可能である。
【００３７】
次に、図３（ｂ）に示すように、まつげ５０の一部（例えば、中央部から先端部）に、人工まつげ本体部１０を接触させ、まつげ５０と人工まつげ本体部１０との重なり部位に、環状部材２２を配置する。環状部材２２は、熱収縮性材料（例えば、塩化ビニール、ポリオレフィン、ポリエチレン、ポリエチレンテレフタレート、ポリスチレン）から構成されており、環状部材２２に熱（矢印３０）を加えると、環状部材２２は収縮する。環状部材２２は、熱収縮性樹脂フィルムをリング状にした構造のものを使用することができる。
【００３８】
図３（ｂ）に示した例では、環状部材２２の開口部２２ａの中に、まつげ５０の一部と人工まつげ本体部１０の一部を配置し、そこに、加熱器具（不図示）を用いて矢印３０のように熱を加える。熱は、例えば、ドライヤーの熱を使うことができるが、それ以外の熱（例えば、ランプ（典型的には、白熱灯、ＬＥＤ光源など）の熱、ヒーターの熱など）を使用しても構わない。ここでは、環状部材２２を、矢印２５のように人工まつげ本体部１０を通してまつげ５０の方にセットしている。これ以外にも、まつげ５０の一部（例えば、先端）に環状部材２２をセットして、セットした環状部材２２の開口部２２ａの中に、人工まつげ本体部１０の一部を挿入するようにしてもよい。
【００３９】
続いて、環状部材２２に熱を加えると、図３（ｃ）に示すように、環状部材２２は収縮して、その結果、収縮した環状部材２０は、人工まつげ本体部１０とまつげ５０とを連結する。すなわち、環状部材２２を加熱することによって、人工まつげ本体部１０とまつげ５０が環状部材２０で固定される。
【００４０】
本実施形態の構成によれば、環状部材２０によって、人工まつげ本体部１０をまつげ５０に取り付けることができるので、接着剤を用いずに取り付けることができる人工まつげ１００を実現することができる。なお、上述した説明では、上まつげ５０に人工まつげ本体部１０を取り付ける例を示したが、下まつげに人工まつげ本体部１０を取り付けても構わない。
【００４１】
ここで、環状部材２２の内径（開口部２２ａの直径）および外径は、使用する様式に合わせて好適なものを決定することができる。環状部材２２の内径（開口部２２ａの直径）は、まつげ５０と人工まつげ本体部１０との両方が挿入できる程度の寸法（例えば、直径０．２ｍｍ以上）が必要である。また、環状部材２２は加熱後に収縮して、まつげ５０と人工まつげ本体部１０とを束ねることができる程度の開口部２２ａの寸法（例えば、直径１ｍｍ以下）であることが求められる。
【００４２】
上述の実施形態では、１本のまつげ５０に１つの環状部材２０（又は２２）を設けたが、それに限らず、複数の環状部材２０を設けることも可能である。図４に示した例では、１本のまつげ５０に２つの環状部材２０（２０Ａ、２０Ｂ）を設けている。このように複数の環状部材２０を設けると、取り付ける手間はかかるものの、まつげ５０と人工まつげ本体部１０との結合力は向上し、したがって、人工まつげ本体部１０が取れるまでの期間を長くすることができる。
【００４３】
また、上述の実施形態の構成では、人工まつげ本体部１０と、環状部材２０（２２）を独立した部材で構成したが、それに限らない。図５に示すように、人工まつげ本体部１０に一体となって構成された環状部材２４を用いることも可能である。この例では、環状部材２４付きの人工まつげ本体部１０をピンセット６０で挟んで、次いで、矢印２５に示すように、環状部材２４の開口部２４ａにまつげ５０の一部を通す。その後は、図６に示すように、熱３０によって環状部材２４を加熱して収縮させて、収縮した環状部材２０によって人工まつげ本体部１０とまつげ５０とを固定することができる。
【００４４】
環状部材２４が一体となった人工まつげ本体部１０の場合、図５に示すように、人工まつげ本体部１０を持った形で移動させて、環状部材２４をまつげ５０に挿入することができるので、環状部材２２と人工まつげ本体部１０とが別々に構成されているものと比較して、人工まつげ１００の取り付けが便利である。環状部材２４が一体に構成された人工まつげ本体部１０は、例えば、環状部材２４と人工まつげ本体部１０とを互いに融着させることによって形成することができる。あるいは、人工まつげ本体部１０に環状部材２４を、接着剤を用いて接着させたものを使用することも可能である。ここでの接着剤の使用は、環状部材２４付きの人工まつげ本体部１０を製造するための使用であり、人工まつげ本体部１０の取り付け時には接着剤は硬化しており、使用者１０００の皮膚５５に影響を与えるおそれを回避することができるからである。
【００４５】
さらには、上述の実施形態では、人工まつげ本体部１０がエクステンション用まつげである場合を説明したが、それに限らず、つけまつげのタイプのものを使用することも可能である。図７（ａ）及び（ｂ）は、つけまつげタイプの人工まつげ本体部１５を、使用者１０００のまつげ５０に取り付ける方法を示している。
【００４６】
まず、図７（ａ）に示すように、支持部１４と支持部１４から延びた人工まつげ部１２とを備えた人工まつげ本体部（つけまつげタイプ）１５を準備し、それを矢印４０のようにまつげ５０の方に近づける。そして、図７（ｂ）に示すように、環状部材２０を用いて、人工まつげ本体部１５の人工まつげ部１２とまつげ５０とを固定する。
【００４７】
この例では、人工まつげ本体部１５の両端部と中央部とに、環状部材２０を用いている。より具体的には、人工まつげ本体部１５の両端部に２個ずつ環状部材２０を用い、中央部に３個の環状部材２０を用いている。図８は、人工まつげ本体部１５の両端部における環状部材２０の固定の様子を模式的に示す拡大図である。
【００４８】
また、図９（ａ）及び（ｂ）に示すようなショートタイプのつけまつげ（人工まつげ本体部）１７を、環状部材２０によってまつげ５０に取り付けることも可能である。ショートタイプのつけまつげ１７は、複数の人工まつげ部１３（１３Ｌ、１３Ｓ）から構成されている。図示したショートタイプのつけまつげ１７は、３本の人工まつげ部１３からなり、１本の長いもの１３Ｌと２本の短いもの１３Ｓとを含むが、本数および長さは適宜好適なものを採用すればよい。
【００４９】
まず、図９（ａ）に示すように、ショートタイプのつけまつげ１７を準備して、矢印４０に示すようにまつげ５０の方に近づける。次いで、環状部材２０を介して、ショートタイプのつけまつげ１７をまつげ５０に固定する。例えば、図１０に示すように、つけまつげ１７の根本部分を環状部材２０でまつげ５０に固定してもよいし、あるいは、図１１に示すように、つけまつげ１７の人工まつげ部１３Ｌを環状部材２０でまつげ５０に固定してもよい。
【００５０】
加えて、環状部材２０（２２）は、熱収縮性材料のものを説明したが、それに限らず、人工まつげ本体部１０（又は１５、１７）をまつげ５０に固定できるのであれば、他の収縮性材料を用いることも可能である。例えば、図１２に示すように、伸縮性を有するゴム材料（例えば、シリコンゴムなどの伸縮性材料）からなる環状部材２６を用いて、人工まつげ本体部１０をまつげ５０に固定することも可能である。この場合、ピンセット６０Ｂで開口部２６ａを広げながら、ピンセット６０Ａで人工まつげ本体部１０を、その広がった開口部２６ａに挿入する。その後、ピンセット６０Ｂを外すと、環状部材２６が縮んで両者（１０、５０）は固定される。
【００５１】
また、図１３（ａ）に示すように、人工まつげ本体部１０の一部（根本部）に接続された帯状バンド部２８を備えた人工まつげ（エクステンション）１５０の構成に改変することも可能である。エクステンション１５０の帯状バンド部２８は、収縮性材料（典型的には、熱収縮性材料）から構成されている。そして、図１３（ｂ）に示すように、エクステンション１５０の帯状バンド部２８をまつげ５０に巻き付けることによって環状部材２９を構築し、そして、その環状部材２９を収縮させることにより、人工まつげ本体部１０とまつげ５０とを固定することができる。
【００５２】
加えて、本実施形態の構成において、人工まつげ本体部１０が樹脂から構成されている場合において、そして、銀イオン（Ａｇ＋）は、樹脂に分散した構成にすることも可能である。銀イオンが抗菌効果を有することは知られているが、エクステンションを構成する樹脂に含有された銀イオンが抗菌効果を有するかについては、本願発明者が実験を行い、エクステンションに含有した形態において抗菌性を示すことを確認した。銀イオンは、樹脂（例えば、ＰＢＴ）に配合され、銀イオンの配合割合（質量％）は、１０％以下であり、典型的には５％または５％程度である。
【００５３】
本実施形態の人工まつげ本体部１０に銀イオンが含有されている場合、その抗菌効果により、細菌（雑菌）の繁殖を抑制することができる。すなわち、エクステンションに抗菌性を持たせることができる。したがって、抗菌性を有するエクステンションの場合、それを長時間まつげ５０に付けていても、細菌の増殖による弊害を抑えることができる。加えて、人工まつげ本体部１０でなく、環状部材２０（あるいは、人工まつげ本体部１０と環状部材２０の両方に）に銀イオンを含有させることも可能である。
【００５４】
なお、銀イオンは、各種の細菌の細胞に強く吸着し、細菌の細胞酵素をブロッキングして死滅させることができる。したがって、銀イオンによって細菌の繁殖を制御することができる。また、銀イオンは、抗菌効果が比較的強い特徴を有するとともに、人体に対して極めて安全性が高いという特徴を有しており、したがって、エクステンションが間違って人間の口に入ったとしても、銀イオンによる問題は実質的に生じない。
【００５５】
抗菌性を有する銀イオン（Ａｇ＋）は、例えば、銀イオン水、銀ナノ粒子などの形態で利用することができる。銀イオン（Ａｇ＋）は、原子としての銀（Ａｇ）から電子が外れた陽イオンとして存在している銀イオンのことであり、大きさは銀原子とほぼ同じで２００ピコメートル程度のいわゆる原子の大きさである。銀イオンは、例えば、銀を水中にて電気分解で溶出させることによって生成させることができる。銀イオン水の場合、銀イオンは水分子の中で単独遊離しており、基本的には水の中にイオン状態で存在する。銀イオンの主な製法としては、水中の純銀電極に電流を流して銀イオンを発生させる電気分解法と、銀イオン成分を含む化学薬品を水に添加する薬剤法の２種を挙げることができる。銀ナノ粒子は、銀をナノメートルのオーダーにした粒子である。また、鉱物であるアルミナシリカに微粒子化した銀イオンを保持させた銀ナノ粒子を用いることも可能である。
【００５６】
また、抗菌材料として銀イオン（Ａｇ＋）を人工まつげ本体部１０及び／又は環状部材２０に配合した改変例について説明したが、抗菌効果を奏する条件において、他の抗菌材料を人工まつげ本体部１０及び／又は環状部材２０に配合することも可能である。例えば、銀イオンに代えて（または、銀イオンとともに）、酸化チタンを人工まつげ本体部１０に配合させることができる。なお、銀イオン、酸化チタンの他の抗菌材料を用いることも可能である。抗菌材料としては、無機系抗菌剤（金属イオンの静菌作用を利用したもの）、有機系抗菌剤（有機物を利用した抗菌剤。合成系抗菌剤または天然系抗菌剤）を挙げることができる。
【００５７】
なお、上述したエクステンション１００（または１５０）では、主に、人工まつげ本体部１０の断面が円形であるもので説明したが、それに限らず、楕円形（または実質的に楕円形または長円形）のものであっても構わない。加えて、人工まつげ本体部１０の断面を多面形（六角形、八角形など）にすることも可能であるし、断面を星形（六角形の星形、八角形の星形）にすることも可能である。また、人工まつげ本体部１０の表面がザラザラになるように加工してもよい。また、人工まつげ本体部１０に貫通孔を形成することも可能である。人工まつげ本体部１０に溝を形成した場合や貫通孔を形成した場合、人工まつげ本体部１０の重さ（質量）を軽くすることができるという効果を得ることができる。
【００５８】
以上、本発明を好適な実施形態により説明してきたが、こうした記述は限定事項ではなく、勿論、種々の改変が可能である。例えば、上述した実施形態では、環状部材２２に熱を加えることによって、環状部材２２を収縮させたが、熱に代えて、超音波のエネルギーを環状部材２２に与えて、そのエネルギー（超音波エネルギー）によって環状部材２２を収縮させることができる。環状部材２２を基準にすると、超音波エネルギーも振動させるという点では熱を加えていることに対応するが、超音波エネルギーを加える手法には、作業者の手が熱くならない、火傷をしない等のメリットを得ることができる。超音波エネルギーを加える場合、ピンセットの先端、アイロンまたはコテの先端に超音波を発生させる素子を配置しておき、当該先端で環状部材２２を挟むことにより、環状部材２２に超音波エネルギーを与えて、環状部材２２を収縮させることができる。
【００５９】
また、図３（ｂ）などの工程において、液体（例えば、水、又は、水よりも粘度が大きい液体（典型的には、液状の化粧品））を用いて、人工まつげ本体部１０、環状部材２２、まつげ５０のうちの少なくとも２つ（または、それら全部）を仮止めすることも可能である。そのような仮止め可能な粘度を持った液体（例えば、水、又は、液状の化粧品）を用いて、それらの部材（１０又は２２）、まつげ５０を仮止めできれば、人工まつげ１００の取り付け者（作業者）の作業が楽になることがある。また、そのような仮止めに、仮止め用として微量の接着剤を用いたとしても、固定については環状部材２０で行うので構わないし、そして、そのような仮止め用の接着剤に医療用の接着剤を用いたとしても微量であるので、コスト低減を図ることができる。また、本実施形態のエクステンションが抗菌材料を含有しており、その抗菌材料が親水性を有している場合、その抗菌材料が人工まつげ本体部１０の表面に存在しているときには、その人工まつげ本体部１０の表面によって液体を保持する力が増えるので、仮止め作業も行い易くすることができる。さらに、人工まつげ本体部１０に溝が形成されていたり、人工まつげ本体部１０の表面がザラザラになるように加工されている場合、人工まつげ本体部１０の表面における表面積が増えていることから、その表面張力によって液体（水や、液状の化粧品）を保持する力が増えるので、仮止め作業も行い易いという利点もある。
【００６０】
また、上述した実施形態においては、使用者（装着者）１０００のまつげ５０に、本実施形態のエクステンション（１００、１５０）を取り付ける例を示したが、まつげ５０は、つけまつげのまつげ部分であってもよい。すなわち、人間のまつげでなく、つけまつげのまつげ部分５０に、本実施形態のエクステンションを取り付けることによって、使用者の好みに応じた独自のつけまつげを作製することができる。また、エクステンションの取り付けの練習として、つけまつげのまつげ部分５０にエクステンション１００（または１５０）を取り付ける場合もあり得る。つけまつげのまつげ部分５０にエクステンション１００（または１５０）を付ける場合でも、上述した本実施形態の構成の効果を得ることができる。
【産業上の利用可能性】
【００６１】
本発明によれば、接着剤で長期的に固定するというものと異なり、物理的に結束するという固定方法による人工まつげ（まつげエクステンション、つけまつげ）を提供することができる。
【符号の説明】
【００６２】
１０ 人工まつげ本体部
１２ 人工まつげ部
１３（１３Ｌ、１３Ｓ） 人工まつげ部
１４ 支持部
１５ 人工まつげ本体部（つけまつげタイプ）
１７ 人工まつげ本体部（ショートタイプのつけまつげ）
２０、２２ 環状部材
２２ａ 開口部
２４ 環状部材
２４ａ 開口部
２６ 環状部材
２６ａ 開口部
２８ 帯状バンド部
２９ 環状部材
３０ 熱
５０ まつげ（まつげ部分）
５５ 皮膚（まぶた）
６０ ピンセット
１００ 人工まつげ
１５０ エクステンション
１０００ 使用者
【図１】
2012072538.tif 000003
【図２】
2012072538.tif 000004
【図３】
2012072538.tif 000005
【図４】
2012072538.tif 000006
【図５】
2012072538.tif 000007
【図６】
2012072538.tif 000008
【図７】
2012072538.tif 000009
【図８】
2012072538.tif 000010
【図９】
2012072538.tif 000011
【図１０】
2012072538.tif 000012
【図１１】
2012072538.tif 000013
【図１２】
2012072538.tif 000014
【図１３】
2012072538.tif 000015
【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
まつげの長さを延長する人工まつげであって、
人工まつげ本体部と、
前記人工まつげ本体部とまつげとを連結する環状部材と
を備え、
前記環状部材は、収縮性材料から構成されており、
前記人工まつげ本体部と前記環状部材とは一体となって構成されている、人工まつげ。
【請求項２】
前記人工まつげ本体部は、エクステンション用まつげである、請求項１に記載の人工まつげ。
【請求項３】
前記環状部材は、熱によって収縮する熱収縮性樹脂から構成されている、請求項１または２に記載の人工まつげ。
【請求項４】
前記環状部材は、ゴム材料から構成されている、請求項１または２に記載の人工まつげ。
【請求項５】
前記環状部材は、１本の前記人工まつげに複数個設けられている、請求項１から４の何れか一つに記載の人工まつげ。
【請求項６】
前記人工まつげ本体部には、抗菌材料が含有されている、請求項１から５の何れか一つに記載の人工まつげ。
【請求項７】
前記環状部材には、抗菌材料が含有されている、請求項１から６の何れか１つに記載の人工まつげ。
【請求項８】
前記人工まつげ本体部は、着色された樹脂から構成されている、請求項１から７の何れか一つに記載の人工まつげ。
【請求項９】
前記人工まつげ本体部は、天然素材の材料から構成されている、請求項１から５の何れか一つに記載の人工まつげ。
【請求項１０】
人工まつげの取り付け方法であって、
人工まつげ本体部と、収縮性材料から構成された環状部材とを用意する工程と、
前記人工まつげ本体部を、まつげに近接させる工程と、
前記環状部材の開口部の中に、前記人工まつげ本体部と前記まつげとの重なり部位を配置する工程と、
前記環状部材を収縮させることによって、前記人工まつげ本体部と前記まつげを固定する工程と
を含み、
前記環状部材は、前記人工まつげ本体部と一体の構成となっている、取り付け方法。
【請求項１１】
前記環状部材は、熱によって収縮する熱収縮性樹脂フィルムから構成されており、
前記人工まつげ本体部と前記まつげを固定する工程において、前記環状部材は加熱器具の熱によって収縮し、それによって前記人工まつげ本体部と前記まつげとを連結する、請求項１０に記載の取り付け方法。
【請求項１２】
前記人工まつげ本体部と前記まつげを固定する工程において、前記環状部材は超音波のエネルギーによって収縮し、それによって前記人工まつげ本体部と前記まつげとを連結する、請求項１０に記載の取り付け方法。
【請求項１３】
前記重なり部位を配置する工程において、液体を用いて、前記人工まつげ本体部を、前記まつげおよび前記環状部材の少なくとも一方と仮止めすることを実行する、請求項１０から１２の何れか１つに記載の取り付け方法。
【請求項１４】
前記人工まつげ本体部および前記環状部材の少なくとも一方には、抗菌材料が含有されている、請求項１０から１３の何れか１つに記載の人工まつげ。
【請求項１５】
前記人工まつげ本体部は、エクステンション用まつげである、請求項１０から１４の何れか一つ記載の取り付け方法。
【請求項１６】
前記人工まつげ本体部と前記まつげを固定する工程において、接着剤を使用せずに前記人工まつげ本体部と前記まつげとを連結する、請求項１０から１５の何れか一つに記載の取り付け方法。